(57)【要約】  【課題】  水路内をそこを流れる水によって洗浄する際、洗い残しを少なくする。【解決手段】水路洗浄補助器具１０は、水路１０４内に設置され、水路１０４内の水流６０によって水路１０４内を洗浄させるものである。水路洗浄補助器具１０は、水流逸らし部材２０と、部材移動機構２２とを備える。水流逸らし部材２０は、水流６０を遮って逸らす。部材移動機構２２は、水流６０の方向が変化するよう、水流逸らし部材２０を繰返し移動させる。【選択図】  図３
2011229420.tif 000002
【特許請求の範囲】
【請求項１】
水路内に設置され、前記水路内の水流によって前記水路内を洗浄させる水路洗浄補助器具であって、
前記水流を遮って逸らす水流逸らし部材と、
前記水流の方向が変化するよう、前記水流逸らし部材を繰返し移動させるための部材移動機構とを備えることを特徴とする、水路洗浄補助器具。
【請求項２】
前記水流逸らし部材は、前記水路内の水流の上流側を向くよう配置される水流対向面を有しており、
前記水流対向面が、前記水流の水面との間で鋭角をなす鋭角部分を有しており、
前記部材移動機構が、
前記水流対向面から見て前記水流逸らし部材の裏側に設けられており、かつ、前記水流逸らし部材の回転軸となる、軸部材と、
前記水流逸らし部材が前記回転軸を中心に回ることで前記水流逸らし部材が前記水流に対して上下方向に移動できるよう前記軸部材を支持する回転支持部材とを有しており、
前記水流逸らし部材の重心が、前記回転軸よりも前記水流の上流側にあることを特徴とする、請求項１に記載の水路洗浄補助器具。
【請求項３】
前記回転支持部材が、
前記軸部材を支持する軸孔と、
前記水路の底面に吸着する吸盤とを有することを特徴とする、請求項２に記載の水路洗浄補助器具。
【請求項４】
前記水流逸らし部材が、前記水面から見て前記水流対向面の上に配置され、かつ、前記水流対向面から出っ張るよう設けられている板材をさらに有することを特徴とする、請求項２に記載の水路洗浄補助器具。
【請求項５】
前記板材が、前記水流対向面に対して垂直な方向に出っ張っていることを特徴とする、請求項４に記載の水路洗浄補助器具。
【請求項６】
前記水流逸らし部材が、前記水流の上流側を向くよう配置される凸面を有することを特徴とする、請求項１に記載の水路洗浄補助器具。
【請求項７】
前記凸面が湾曲した面であることを特徴とする、請求項６に記載の水路洗浄補助器具。
【発明の詳細な説明】
【技術分野】
【０００１】
本発明は、水路洗浄補助器具に関し、特に、水路内をそこを流れる水によって洗浄する際、洗い残しを少なくすることができる水路洗浄補助器具に関する。
【背景技術】
【０００２】
特許文献１は、動物ラック用水洗装置を開示する。この動物ラック用水洗装置は、動物収容箇所の下方に水路を配備し、水路の上流側端部に給水容器を配備したものである。水路は、動物収容箇所からの落下した汚物を受け止め、その汚物を洗浄水により洗い流すためのものである。給水容器は、その洗浄水を貯えている。給水容器は、その洗浄水を水路上に供給する。給水容器の近傍には、縦案内板が設けられている。縦案内板は、給水容器から流出した洗浄水を板面で受け止めて、その受け止めた洗浄水をその板面に沿わせて水路上へ流下させる。
【０００３】
特許文献１に開示された発明によると、水洗装置全体が大型化することを回避しながら、水流の乱れが少なくなるよう洗浄水を供給することにより洗い流し機能の向上を図ることができる。
【先行技術文献】
【特許文献】
【０００４】
【特許文献１】特開平９−２１５４５６号公報
【発明の概要】
【発明が解決しようとする課題】
【０００５】
しかしながら、特許文献１に開示された発明では、水路において洗い残しが生じることが多いという問題があった。
【０００６】
水路のうち 洗い残しが生じる部分は、動物ラック用水洗装置ごとに異なる。多くの動物ラック用水洗装置において、水路のうち洗い残しが生じる部分は、水路の側壁付近のうち少なくとも一方である。水路の側壁付近に洗い残しが生じる場合、定期的に洗浄水を供給しているにも関わらず、水路の側壁付近には数日のうちに大量の汚物が溜まることがある。
【０００７】
本発明は、このような問題点を解消するためになされたものであり、その目的とするところは、水路内をそこを流れる水によって洗浄する際、洗い残しを少なくすることができる水路洗浄補助器具を提供することにある。
【課題を解決するための手段】
【０００８】
図面を参照して本発明の水路洗浄補助器具を説明する。なお、この欄で図中の符号を使用したのは、発明の内容の理解を助けるためであって、内容を図示した範囲に限定する意図ではない。
【０００９】
上記目的を達成するために、本発明のある局面に従うと、水路洗浄補助器具１０は、水路１０４内に設置され、水路１０４内の水流６０によって水路１０４内を洗浄させるものである。水路洗浄補助器具１０は、水流逸らし部材２０と、部材移動機構２２とを備える。水流逸らし部材２０は、水流６０を遮って逸らす。部材移動機構２２は、水流６０の方向が変化するよう、水流逸らし部材２０を繰返し移動させる。
【００１０】
部材移動機構２２が水流逸らし部材２０を繰返し移動させることで、水流６０の方向が変化する。水流６０の方向が変化するので、水路１０４内のうち、その水流６０によってよく洗浄される部分が変化する。よく洗浄される部分が変化することで、よく洗浄される部分が変化しない場合に比べ、洗い残しが少なくなる。
【００１１】
また、上述した水流逸らし部材２０は、水流対向面５０を有することが望ましい。水流対向面５０は、水路１０４内の水流の上流側を向くよう配置される。この場合、水流対向面５０が、水流６０の水面１３０との間で鋭角をなす鋭角部分を有している。部材移動機構２２が、軸部材３０と、回転支持部材３２とを有している。軸部材３０は、水流対向面５０から見て水流逸らし部材２０の裏側に設けられており、かつ、水流逸らし部材２０の回転軸となる。回転支持部材３２は、水流逸らし部材２０が回転軸を中心に回ることで水流逸らし部材２０が水流６０に対して上下方向に移動できるよう軸部材３０を支持する。水流逸らし部材２０の重心は、回転軸よりも水流６０の上流側にある。
【００１２】
水流対向面５０の鋭角部分が水流６０の水面１３０との間で鋭角をなすので、水流対向面５０に衝突した水流６０は水流対向面５０を押し上げる。水流対向面５０が押し上げられると、水流逸らし部材２０が回転軸を中心に回る。水流逸らし部材２０が回転軸を中心に回ることで水流逸らし部材２０が水流６０の上へ移動する。水流逸らし部材２０が水流６０の上へ移動すると、水流逸らし部材２０の下を水流６０が通過する。水流逸らし部材２０の下を水流６０が通過することで、水流の方向がそれまでと変化する。その後、水流逸らし部材２０の重心が回転軸よりも水流６０の上流側にあるため、水流逸らし部材２０が下方向へ移動する。水流逸らし部材２０が下方向に移動すると、水流逸らし部材２０が水流６０を遮って逸らす。これにより、部材移動機構２２は、水流６０自体が持つ力と重力とによって水流逸らし部材２０を繰返し移動させることとなる。その結果、水流６０自体が持つ力と重力とを利用して稼動する水路洗浄補助器具１０を提供できる。
【００１３】
もしくは、上述した回転支持部材３２が、軸孔４０と、吸盤４２とを有することが望ましい。軸孔４０は、軸部材３０を支持する。吸盤４２は、水路１０４の底面に吸着する。
【００１４】
回転支持部材３２が、水路１０４の底面に吸着する吸盤４２を有しているので、その吸盤４２を用いて、水路洗浄補助器具１０を水路１０４の底面に取り付けたり水路洗浄補助器具１０を水路１０４の底面から取り外したりすることが容易となる。
【００１５】
もしくは、上述した水流逸らし部材２０が、板材５２をさらに有することが望ましい。板材５２は、水面１３０から見て水流対向面５０の上に配置され、かつ、水流対向面５０から出っ張るよう設けられている。
【００１６】
板材５２が設けられているので、水流６０のうち水流対向面５０を押し上げた部分と水流対向面５０に衝突することなくその上を乗り越えようとする部分とが衝突することを防止できる。それらの部分の衝突が防止できるので、水流６０が水路洗浄補助器具１０の周囲で乱れることを抑制できる。
【００１７】
もしくは、上述した板材５２が、水流対向面５０に対して垂直な方向に出っ張っていることが望ましい。
【００１８】
水流対向面５０に対して垂直な方向に板材５２が出っ張っていると、水流逸らし部材２０の動きが安定する。水流対向面５０に対して垂直な方向とは水流６０と平行な方向と言える。水流６０と平行な方向に板材５２が出っ張っていると、板材５２が水流６０の抵抗となることが少なくなるためである。水流逸らし部材２０の動きが安定すると、そうでない場合に比べ、水流６０が水路洗浄補助器具１０の周囲で乱れることをより抑制できる。
【００１９】
もしくは、上述した水流逸らし部材２０が、水流６０の上流側を向くよう配置される凸面５０を有することが望ましい。
【００２０】
水流逸らし部材２０が凸面５０を有すると、水路１０４内の水流６０は、凸面５０に衝突して二手に分かれる。二手に分かれるので、水路１０４内の二箇所が同時に洗浄されることとなる。
【００２１】
もしくは、上述した凸面５０が湾曲した面であることが望ましい。
【００２２】
凸面５０が湾曲していると、水流６０は二手に分かれた後もゆるやかにその向きを変えることとなるため、水路１０４の両脇において水滴が跳ね上がることを少なくできる。
【発明の効果】
【００２３】
本発明によれば、水路内をそこを流れる水によって洗浄する際、洗い残しを少なくすることができる。
【図面の簡単な説明】
【００２４】
【図１】飼育架台の水路へ本発明の実施例にかかる水路洗浄補助器具を設置した状況を示す図である。
【図２】本発明の実施例にかかる水路洗浄補助器具の配置例を示す図である。
【図３】本発明の実施例にかかる水路洗浄補助器具の斜視図である。
【図４】本発明の実施例にかかる水路洗浄補助器具の断面図である。
【図５】本発明の実施例にかかる洗浄補助器具を設置した場合の水流の第１の状況を示す図である。
【図６】本発明の実施例における水流逸らし部材が水流から受ける力を示す概念図である。
【図７】本発明の実施例にかかる洗浄補助器具を設置した場合の水流の第２の状況を示す図である。
【図８】飼育架台の一例を示す図である。
【発明を実施するための形態】
【００２５】
以下、図面を参照しつつ、本発明の実施例について説明する。以下の説明では、同一の部品には同一の符号を付してある。それらの名称および機能も同一である。したがって、それらについての詳細な説明は繰返さない。
【００２６】
図１は、飼育架台１００の水路１０４へ水路洗浄補助器具１０を設置した状況を示す図である。図２は、本実施例にかかる水路洗浄補助器具１０の配置例を示す図である。図３は、本実施例にかかる水路洗浄補助器具１０の斜視図である。図４は、本実施例にかかる水路洗浄補助器具１０の断面図である。図５は、本実施例にかかる水路洗浄補助器具１０を設置した場合の水流６０の第１の状況を示す図である。図６は、本実施例にかかる水流逸らし部材２０が水流６０から受ける力を示す概念図である。図７は、本実施例にかかる水路洗浄補助器具１０を設置した場合の水流６０の第２の状況を示す図である。図８は、飼育架台１００を示す図である。
【００２７】
まず、飼育架台１００について説明する。図８に示すように、飼育架台１００は、複数段の飼育空間１０２を備える。１つの飼育空間１０２は、複数台のケージ１２０を収容できる。ケージ１２０の下には、水路１０４が設けられている。飼育架台１００の最も高い場所には給水タンク１０８が設けられている。給水タンク１０８の下に縦案内板１０６が設けられている。給水タンク１０８から流れだした水は縦案内板１０６を伝って水路１０４へ流れる。水路１０４の下流側の端には、図１に示すような、排水口１１０が設けられている。排水口１１０の下には縦案内板１０６が設けられている。排水口１１０から流れ出した排水は縦案内板１０６を伝って下の段の水路１０４へ流れる。以下、同様に、１番下の段の水路１０４の排水口１１０まで排水は排出される。１番下の段の排水口１１０から排出された排水は図示しない排出管に流入する。給水タンク１０８から排出された水が１番下の段の排水口１１０から排出されることで、各水路１０４は洗浄される。
【００２８】
図１に示すように、本実施例にかかる水路洗浄補助器具１０は、水路１０４の底面に設置される。本実施例にかかる水路洗浄補助器具１０は、図２に示すように、一層につき複数個設置されることが望ましい。ただし、水路洗浄補助器具１０の配置は図２に示したものに限定されない。ちなみに、本実施例においては、図２における右側から左側へ水が流れる。
【００２９】
図３を参照しつつ、本実施例にかかる水路洗浄補助器具１０の構成を説明する。本実施例にかかる水路洗浄補助器具１０は、水流逸らし部材２０と、部材移動機構２２とを備える。水流逸らし部材２０は、水路１０４に流れてきた水流６０を遮って逸らす部材である。部材移動機構２２は、その水流６０の方向が変化するよう、水流逸らし部材２０を繰り返し移動させるための機構である。
【００３０】
図１ないし図４を参照しつつ、本実施例にかかる水流逸らし部材２０の構成を説明する。図４に示すように、本実施例においては、水流逸らし部材２０は、凸面５０と板材５２とを有する。
【００３１】
凸面５０は、水流６０の上流側を向くように配置される。このため、凸面５０は、本実施例における水流対向面にあたる。本実施例における凸面５０は、図１ないし図３から明らかなように湾曲している。図４に示すように、本実施例における凸面５０の中央部分と水流６０の仮想水面１３０とがなす角θは鋭角をなしている。なお、仮想水面１３０は、水流６０が極めて静かに流れることにより水流６０の水面が平坦になったと仮定したときの水流６０の水面である。
【００３２】
板材５２は、水面から見て凸面５０の上に配置される。しかも、図４に示すように、板材５２は、凸面５０から、凸面５０に対して垂直な方向に出っ張るように設けられている。
【００３３】
図３と図４とを参照しつつ、本実施例にかかる部材移動機構２２の構成を説明する。本実施例にかかる部材移動機構２２は、軸部材３０と、回転支持部材３２とを有する。軸部材３０は、凸面５０から見て水流逸らし部材２０の裏側に設けられている。軸部材３０は、水流逸らし部材２０の回転軸となる部材である。回転支持部材３２は軸部材３０を支持する部材である。回転支持部材３２は、水流逸らし部材２０がその回転軸を中心に回り得るよう軸部材３０を支持する。これにより、水流逸らし部材２０は、図４において想像線で示したように移動できる。本実施例では、図４に示したような移動方向を「水流６０に対して上下方向」と称する。このように称するのは、水流６０の上流側を向くように凸面５０を配置して水路１０４に水を流したとき、水流逸らし部材２０が水底（すなわち水流６０の下部）と水面の上（すなわち水流６０より上）との間で移動可能なためである。
【００３４】
図４を参照しつつ、本実施例にかかる回転支持部材３２の構成を説明する。本実施例にかかる回転支持部材３２は、軸孔４０と、吸盤４２とを有する。軸孔４０は、軸部材３０が貫通する孔である。軸部材３０が軸孔４０を貫通することにより、軸部材３０は軸孔４０に支持されることとなる。吸盤４２は、水路１０４の底面に吸着する。
【００３５】
なお、本実施例において、水路１０４の底面に吸盤４２が吸着したとき、水流逸らし部材２０の重心はその回転軸よりも水流６０の上流側にある。
【００３６】
つぎに、本実施例にかかる水路洗浄補助器具１０の使用方法と動作とを説明する。
【００３７】
まず、図２に示したように、水路１０４の底面に水路洗浄補助器具１０を３個貼り付ける。この状態で給水タンク１０８から水を排出させると、その水は縦案内板１０６を伝って水路１０４の上流側に達する。水路１０４の上流側に達した水は、そのまま水路１０４を排水口１１０側へ向かって流れる。このとき、水流逸らし部材２０の凸面５０の中央部分の下端は、図４に示すように、水路１０４に接触している。
【００３８】
この状態で凸面５０に水流６０が当たると、水流６０は凸面５０に遮られてその向きを変える。本実施例の場合、水流逸らし部材２０の凸面５０が水流６０の上流側を向いているので、水流６０は二手に分かれるようその向きを変える。図５は、このようにして水流６０がその向きを変えられている状況を示す。水流６０が凸面５０によって水流６０の向きを変えられると、それら水流６０は、水路１０４の両脇に集中する。水流６０が水路１０４の両脇に集中するため、水路１０４の両脇付近には、大量の水が集中して流れることとなる。大量の水が集中して流れるので、水路１０４の両脇付近における水流６０の流速は、水路１０４の中央部よりも速くなる。流速が速いので、水路１０４の両脇付近の汚物は一挙に押し流される。
【００３９】
このとき、水流６０から、凸面５０に対して、これを上へ押し上げる方向の力が加わる。図６に示す白抜き矢印は、水流６０から凸面５０に対して加わる力の分力を示す。凸面５０が押し上げられると、水路１０４の底面と凸面５０の下との間にすき間ができる。すき間ができると、水流６０は、図７に示すように、まっすぐに排水口１１０へ向かって流れる。水流６０が排水口１１０に向かってまっすぐ流れるため、このとき、水路１０４の中央付近の汚物が流される。水流６０がまっすぐ流れる状態になると、凸面５０を上へ押し上げる力が弱まる。凸面５０を上へ押し上げる力が弱まるため、しばらくすると、水流逸らし部材２０は自重により下方向（水路１０４の底面へ向かう方向）に下がる。水流逸らし部材２０が下がると、水流６０は凸面５０に再び当たることとなる。水流６０が凸面５０に再び当たることで、水流６０は、再び、図５に示すように、水路１０４の両脇に集中することとなる。ちなみに、このとき、板材５２が設けられていることで、水路洗浄補助器具１０の周囲に乱流が生じることは防止される。
【００４０】
これ以降、水流逸らし部材２０が上下することにより、水流６０は、繰り返しその向きを変える。水流６０が繰り返し向きを変えることで、水路１０４の両脇部分と中央部分とが繰り返し洗浄されることとなる。このため、水路１０４の中央部分だけでなく、水路１０４の両脇部分も効率よく洗浄される。
【００４１】
水路洗浄補助器具１０に汚れが付着したら、吸盤４２を水路１０４から外す。これにより、水路洗浄補助器具１０全体が水路１０４から離れることとなる。水路洗浄補助器具１０全体が水路１０４から離れたら、水路洗浄補助器具１０を洗浄する。
【００４２】
以上のようにして、本実施例にかかる水路洗浄補助器具１０は、水路１０４内をそこを流れる水によって洗浄する際、洗い残しを少なくすることができる。本実施例にかかる水路洗浄補助器具１０は、水流６０自体が持つ力と重力とを利用して稼動できる。本実施例にかかる水路洗浄補助器具１０は、吸盤４２を有しているので、水路１０４の底面に取り付けたり取り外したりすることが容易である。本実施例にかかる水路洗浄補助器具１０は、板材５２が設けられているので、水流６０が水路洗浄補助器具１０の周囲で乱れることを抑制できる。本実施例にかかる水路洗浄補助器具１０は、湾曲した凸面５０を有するので、凸面５０が平面である場合に比べ、水路１０４の両脇において水滴が跳ね上がることを少なくできる。
【００４３】
今回開示された実施例はすべての点で例示である。本発明の範囲は上述した実施例に基づいて制限されるものではなく、本発明の趣旨を逸脱しない範囲で種々の設計変更をしてもよいのはもちろんである。
【００４４】
例えば、水流逸らし部材２０の凸面５０は、図３に示すように湾曲したものに限定されない。凸面５０は、「Ｌ」字型に折れ曲がったものであってもよい。あるいは、水流逸らし部材２０は、凸面５０に代えて、水流６０に対して斜めを向くよう配置される平面を有していてもよい。この場合、その平面が、水流６０の仮想水面１３０との間で鋭角をなす鋭角部分を有していることが望ましい。また、その平面の上に板材５２が設けられていることが望ましい。
【００４５】
板材５２は、必ずしも必要なものではない。しかしながら、板材５２が設けられていると、水流６０に乱れが生じることを抑制できる。乱れが生じることを抑制できるのは、水流６０のうち、凸面５０に衝突してこれを押し上げた部分と凸面５０に衝突することなくその上を乗り越えようとする部分とが衝突することを防止できるためである。そのような衝突が防止できるのは、水流６０のうち凸面５０に衝突してこれを押し上げた部分が凸面５０の上を乗り越えるのを抑え、その部分を凸面５０の両脇へ誘導するためである。
【００４６】
また、部材移動機構は、図３に示すようなものに限定されない。例えば、部材移動機構は、水流逸らし部材２０にバネを取り付けることで水流逸らし部材２０を上下させるものであってもよい。あるいは、部材移動機構は、モータとリンクとを組み合わせて定期的に水流逸らし部材２０を上下させるものであってもよい。
【００４７】
また、水流逸らし部材２０の移動方向は上述した上下方向に限定されない。例えば、水流逸らし部材２０は、水流６０に対して直交したり斜めを向いたりするよう移動してもよい。ただし、水流逸らし部材２０を水流の方向が変化するよう移動させることが必要である。
【００４８】
また、部材移動機構２２が水路１０４に固定されるしくみも、上述したものに限定されない。例えば、部材移動機構２２は、質量の大きな部材を設けることで、自重によって水路１０４に固定されてもよい。
【符号の説明】
【００４９】
１０  水路洗浄補助器具
２０  水流逸らし部材
２２  部材移動機構
３０  軸部材
３２  回転支持部材
４０  軸孔
４２  吸盤
５０  凸面
５２  板材
６０  水流
１００       飼育架台
１０２       飼育空間
１０４       水路
１０６       縦案内板
１０８       給水タンク
１１０       排水口
１２０       ケージ
１３０       仮想水面
【図１】
2011229420.tif 000003
【図２】
2011229420.tif 000004
【図３】
2011229420.tif 000005
【図４】
2011229420.tif 000006
【図５】
2011229420.tif 000007
【図６】
2011229420.tif 000008
【図７】
2011229420.tif 000009
【図８】
2011229420.tif 000010